(57)【要約】【課題】内部記憶部による電流消費を低減しつつ、制御部による実行速度が落ちない電子機器を提供する。【解決手段】ソフトウェアを記憶する不揮発性のメモリ３と、ソフトウェアを実行する映像／音声制御部６と、映像／音声制御部６によって実行されるソフトウェアに基づいて制御されるカメラモジュール４と、記憶動作時に電流を消費し、メモリ３よりも読み出し速度の速い内部記憶部１１と、記憶媒体１２の有無を検出する着脱検出部とを備え、映像／音声制御部６は、着脱検出部が記憶媒体１２を検出しなかったときメモリ３に記憶されているソフトウェアを使用してカメラモジュール４を制御し、着脱検出部が記憶媒体１２を検出したときソフトウェアを内部記憶部１１にロードしてカメラモジュール４を制御する。【選択図】図１
2010055433.tif 000002
【特許請求の範囲】
【請求項１】
ソフトウェアを記憶する不揮発性の第１の記憶部と、
前記ソフトウェアを実行する制御部と、
前記制御部によって実行される前記ソフトウェアに基づいて制御されるデバイス部と、
記憶動作時に電流を消費し、前記第１の記憶部よりも記憶データが読み込まれる速度が速い第２の記憶部と、
前記制御部によって前記デバイス部が制御されるときに、当該制御部に対する負荷を推定する負荷推定部と、
を備え、
前記制御部は、
前記負荷推定部により推定される前記負荷が所定値より小さい第１の状態のとき、前記第１の記憶部に記憶されているソフトウェアを読み込んで実行して前記デバイス部を制御し、
前記負荷推定部により推定される前記負荷が所定値より大きい第２の状態のとき、前記第１の記憶部に記憶されている前記ソフトウェアをロードして前記第２の記憶部に記憶して、当該第２の記憶部に記憶されたソフトウェアを実行して前記デバイス部を制御する
ことを特徴とする電子機器。
【請求項２】
前記デバイス部は、カメラモジュールであり、
前記負荷推定部は、着脱可能な外部記憶媒体の着脱を検出する着脱検出部であり、
前記第１の状態は、前記外部記憶媒体が取り外されている状態であり、
前記第２の状態は、前記外部記憶媒体が取り付けられ、前記生業が前記カメラモジュールによって撮像された画像データを当該外部記憶媒体に記憶する状態である
ことを特徴とする請求項１に記載の電子機器。
【請求項３】
通信部と表示部とを有し、
前記デバイス部は、前記通信部において受信した受信内容を前記表示部へ表示させる出力信号処理部であり、
前記負荷推定部は、前記通信部において受信する電磁波の受信強度が所定の閾値より大きいか否かを検出する電磁波検出部であり、
前記第１の状態は、前記受信強度が前記所定の閾値より小さい状態であり、
前記第２の状態は、前記受信強度が前記所定の閾値より大きい状態である
ことを特徴とする請求項１に記載の電子機器。
【発明の詳細な説明】
【技術分野】
【０００１】
本発明は、ソフトウェアプログラムやデータ等に応じて動作制御を行うプロセッサおよびメモリ等を有する電子機器に関する。
【背景技術】
【０００２】
近年、販売されている携帯電話は、通話を実現する通信部だけでなく、例えば撮像部などの様々な装置を搭載している（例えば特許文献１）。
【０００３】
【特許文献１】特開２００５−３１１８５１号公報
【発明の開示】
【発明が解決しようとする課題】
【０００４】
ところで、前記装置を制御するための制御命令が装置へアプリケーションソフトウェア情報を送るとき、当該情報は、制御部の外に配置されている外部記憶部から制御部の中に配置される内部記憶部に移される。この内部記憶部は、例えば、ＳＤＲＡＭから作成されている為、当該内部記憶部内に情報が保持されるときのリフレッシュ制御によって電流を消費してしまうという問題があった。また、外部記憶部から直接制御部に前記アプリケーションソフトウェア情報を送信すると、情報の伝達が遅れてしまい、アプリケーションソフトウェアの実行に支障をきたすという問題があった。
【０００５】
本発明はかかる事情に鑑みてなされたものであり、その目的は、内部記憶部による電流消費を低減しつつ、制御部による実行速度が落ちない電子機器を提供することにある。
【課題を解決するための手段】
【０００６】
本発明の第１の観点である電子機器は、ソフトウェアを記憶する不揮発性の第１の記憶部と、前記ソフトウェアを実行する制御部と、前記制御部によって実行される前記ソフトウェアに基づいて制御されるデバイス部と、記憶動作時に電流を消費し、前記第１の記憶部よりも記憶データが読み込まれる速度が速い第２の記憶部と、前記制御部によって前記デバイス部が制御されるときに、当該制御部に対する負荷を推定する負荷推定部とを備え、前記制御部は、前記負荷推定部により推定される前記負荷が所定値より小さい第１の状態のとき、前記第１の記憶部に記憶されているソフトウェアを読み込んで実行して前記デバイス部を制御し、前記負荷推定部により推定される前記負荷が所定値より大きい第２の状態のとき、前記第１の記憶部に記憶されている前記ソフトウェアをロードして前記第２の記憶部に記憶して、当該第２の記憶部に記憶されたソフトウェアを実行して前記デバイス部を制御する。
【０００７】
好適には、前記デバイス部は、カメラモジュールであり、前記負荷推定部は、着脱可能な外部記憶媒体の着脱を検出する着脱検出部であり、前記第１の状態は、前記外部記憶媒体が取り外されている状態であり、前記第２の状態は、前記外部記憶媒体が取り付けられ、前記生業が前記カメラモジュールによって撮像された画像データを当該外部記憶媒体に記憶する状態である。
【０００８】
好適には、通信部と表示部とを有し、前記デバイス部は、前記通信部において受信した受信内容を前記表示部へ表示させる出力信号処理部であり、前記負荷推定部は、前記通信部において受信する電磁波の受信強度が所定の閾値より大きいか否かを検出する電磁波検出部であり、前記第１の状態は、前記受信強度が前記所定の閾値より小さい状態であり、前記第２の状態は、前記受信強度が前記所定の閾値より大きい状態である。
【発明の効果】
【０００９】
本発明によれば、揮発性の記憶部の記憶内容を保持する動作を適当に行ない、アプリケーションなどのソフトウェアの処理速度を損なうことなく消費電流を抑制することができる。
【発明を実施するための最良の形態】
【００１０】
以下、この発明の実施の一形態を説明する。
＜第１の実施の形態＞
図１は、本発明の第１の実施形態による電子機器の構成を示すブロック図である。図１には、本発明による電子機器として携帯電話機１を例示している。携帯電話機１は、ＣＰＵ２、メモリ３、カメラモジュール４、周辺機器５、映像／音声制御部６、外部記憶装置７、チューナ８、表示部９ａ、音声出力部９ｂ等によって構成されている。
【００１１】
ＣＰＵ２は、携帯電話機１の動作制御を司るプロセッサ等であり、外部との通信動作などの制御を行う制御部である。
メモリ３は、不揮発性の記憶部であり、例えばフラッシュメモリである。メモリ３は、携帯電話機１の様々な機能を稼働させるときに用いるオブジェクトプログラム２１を記憶しており、ＣＰＵ２の制御によりオブジェクトプログラム２１の記憶／読み出しを行うように構成されている。
【００１２】
カメラモジュール４は、後述するように携帯電話機１の筺体に配設されており、例えば映像／音声制御部６の制御により撮像を行い、また当該撮像動作によって生成した画像データを映像／音声制御部６へ出力するように構成されている。
周辺機器５は、携帯電話機１が有する各機能を実施する様々な構成部であり、例えば、ユーザによる携帯電話機１の移動や所定の座標等における当該携帯電話機１の向きや移動方向などを検知する６軸センサである。
また、周辺機器５は、例えば、Ｂｌｕｅｔｏｏｔｈ等の規格に則って携帯電話機１の近傍に存在する他の携帯電話機等と近距離データ通信を行う通信手段である。
また、周辺機器５は、例えば、Ｗｉ−Ｆｉ（登録商標）などの規格に準じて無線ＬＡＮに接続する通信手段である。
【００１３】
映像／音声制御部６は、映像／音声データ等の処理を行う、例えばマルチメディアプロセッサであり、ソフトウェアプログラムに則して各処理を行う、詳しくは映像／音声制御部６に接続されている各部の動作制御を行う処理部１０を有している。
また、映像／音声制御部６は、例えばＳＤＲＡＭ等である内部記憶部１１を有している。内部記憶部１１は、メモリ３に比べて高速の処理動作が可能であり、プログラムやデータ等の記憶内容の書き込み、ならびに読み出し動作が速い揮発性の記憶部である。また、この内部記憶部１１は、例えば当該映像／音声制御部６の動作を司るオブジェクプログラムを格納し、処理部１０が当該オブジェクトプログラムを用いて制御動作等を行うことができるように構成されている。
【００１４】
また、前述のＣＰＵ２と映像／音声制御部６は、相互にデータ等の送受を行い、また相互に処理動作等の連携を図ることができるように接続されている。
【００１５】
外部記憶装置７は、例えば、取り外し自在であるメモリカード等の記憶媒体１２を格納するように構成されている。また、外部記憶装置７は、記憶媒体１２に記憶されているプログラムやデータ等を、映像／音声制御部６の制御により読み出す、あるいはデータ等を書き込み／記憶させるように構成されている。
【００１６】
チューナ８は、例えばテレビ放送を受信する受信部であり、当該放送電波を受信するアンテナ８ａを接続させている。また、チューナ８は、映像／音声制御部６の制御により受信動作を行い、また受信した放送内容の映像／音声データ等を映像／音声制御部６へ出力するように構成されている。
【００１７】
表示部９ａは、ＬＣＤなどの表示装置を有し、映像／音声制御部６の制御により画像を表示するように構成されている。
音声出力部９ｂは、スピーカ等の音声出力装置を有し、映像／音声制御部６の制御により音声出力を行うように構成されている。
【００１８】
なお、ここで説明するオブジェクトプログラム２０，２１、および後述する各オブジェクトプログラムは、カメラモジュール４、周辺機器５などの各部を動作させるときに用いるソフトウェアである。
【００１９】
次に動作について説明する。
ＣＰＵ２は、前述のように携帯電話機１の動作を司り、主に電話機能に関連する通信動作の各制御を行っている。
また、ＣＰＵ２は、外部記憶装置７に記憶媒体１２が格納されているか否かを、所定の周期間隔によるポーリング処理を行って検出する。
外部記憶装置７は、記憶媒体１２の有無を検知する図示を省略したセンサ等からなる着脱検出部を備えており、上記のポーリング処理に応答して着脱検出部から記憶媒体１２の有無を示す信号を出力する。
図１に示したように、外部記憶装置７に記憶媒体１２が格納されると、ＣＰＵ２は、前述の着脱検出部の出力信号の内容から記憶媒体１２が格納されたことを検出する。
【００２０】
ＣＰＵ２は、記憶媒体１２が外部記憶装置７に取り付けられたことを検出すると、映像／音声制御部６に対して内部記憶部１１に格納するオブジェクトプログラム２０を保持するように指示する。具体的には、ＣＰＵ２は、前述の着脱検出部が記憶媒体１２の取り付け／格納を検出したとき、後述する負荷推定値を設定し、当該負荷推定値を映像／音声制御部６へ報知する。
映像／音声制御部６は、後述するように、予め設定されている閾値と前述の負荷推定値とを比較する。ここでは、記憶媒体１２が外部記憶装置７へ格納されているので、この比較結果は、上記の負荷推定値が閾値よりも大きいものとなる。このような比較結果となったとき、映像／音声制御部６は、前述のオブジェクトプログラム２０を、例えば、メモリ３から、あるいは図示されない外部の記憶手段等から読み出して内部記憶部１１に格納する。また、オブジェクトプログラム２０が記憶媒体１２に記憶されているときには、映像／音声制御部６が外部記憶装置７を制御して、当該オブジェクトプログラム２０を読み出し、内部記憶部１１に格納する。
【００２１】
映像／音声制御部６は、定期的に内部記憶部１１に格納されているオブジェクトプログラム２０のリフレッシュ動作を行ないながら当該オブジェクトプログラム２０に則した処理動作を行う。
詳しくは、処理部１０が、ＳＤＲＡＭである内部記憶部１１に格納されているオブジェクトプログラム２０の内容が消失しないように、所定の周期間隔で上記のＳＤＲＡＭのセル電圧を所定の値以上に保つリフレッシュ動作を行う。
【００２２】
処理部１０は、上述のようにオブジェクトプログラム２０を保持する動作を行うとともに、当該オブジェクトプログラム２０の内容に応じてカメラモジュール４や周辺機器５などの動作制御を行う。また、処理部１０もしくは映像／音声制御部６は、上記のようにオブジェクトプログラム２０に則した処理を行うとき、外部記憶装置７に格納されている記憶媒体１２から必要に応じてデータ等を読み出して上記の処理に用いる。また、処理部１０は、例えば、カメラモジュール４や周辺機器５などの処理動作に伴う画像表示を表示部９ａに行い、また音声出力部９ｂを用いて音声出力を行う。
例えば、映像／音声制御部６がカメラモジュール４の動作を制御するとき、即ち、映像／音声制御部６の処理負荷が大きいとき、内部記憶部１１に格納されているオブジェクトプログラム２０を用いてカメラモジュール４の撮像処理を制御する。
カメラモジュール４が撮像し、当該カメラモジュール４から出力される画像データは、映像／音声制御部６の制御により、例えば外部記憶装置７の記憶媒体１２へ記憶格納される。
【００２３】
図２は、図１の電子機器の動作を示す説明図である。図１に示したものと同一部分に同じ符号を使用する。図２の携帯電話機１は、外部記憶装置７に記憶媒体１２が取り付けられていない状態を示している。
ＣＰＵ２は、外部記憶装置７の着脱検出部から記憶媒体１２の検出信号が出力されない、即ち記憶媒体１２が外部記憶装置７に格納されていないと認識したとき、映像／音声制御部６に、内部記憶部１１のリフレッシュ動作、即ちオブジェクトプログラムの保持動作を行なわないように指示する。具体的には、ＣＰＵ２は、前述の着脱検出部が、外部記憶装置７から記憶媒体１２が取り外されていることを検出したとき、後述する負荷推定値を設定し、当該負荷推定値を映像／音声制御部６へ報知する。
映像／音声制御部６は、予め設定されている閾値と上記の負荷推定値とを比較する。ここでは、記憶媒体１２が外部記憶装置７から取り外されているので、この比較結果は、上記の負荷推定値が閾値よりも小さいものとなる。このような比較結果となったとき、映像／音声制御部６は、内部記憶部１１を稼働させず、いずれかのオブジェクトプログラムをも当該内部記憶部１１に格納せず、また記憶内容を保持する制御も行なわない。
【００２４】
内部記憶部１１にオブジェクトプログラムが保持されていない映像／音声制御部６は、ＣＰＵ２を介してメモリ３に格納されているオブジェクトプログラム２１を必要に応じて自らにロードする。処理部１０は、適宜メモリ３から読み込んだオブジェクトプログラム２１を用いて周辺機器５等の各部の動作を制御する。このように映像／音声制御部６の処理負荷が小さいときにはメモリ３からオブジェクトプログラム２１をロードして、各処理動作を制御する。
【００２５】
第１の実施形態による電子機器もしくは映像／音声制御部６は、カメラモジュール４の動作制御に要する処理負荷の大きさを閾値としている。映像／音声制御部６は、前述の閾値よりも処理負荷が小さいときには内部記憶部１１にオブジェクトプログラム２０を保持せず、メモリ３からのオブジェクトプログラム２１を使用して各制御を行う。また、前述の閾値よりも処理負荷が大きいときには内部記憶部１１にオブジェクトプログラム２０を格納し、このオブジェクトプログラム２０を用いて迅速に各制御を行うようにしている。
【００２６】
第１の実施形態による電子機器は、外部記憶装置７の着脱検出部が負荷推定部となって、ＣＰＵ２に処理負荷の大きさを推定させている。ＣＰＵ２は、着脱検出部の出力信号から推定した処理負荷の大きさを示す負荷推定値を設定する。映像／音声制御部６は、ＣＰＵ２からの負荷推定値と予め設定されている閾値とを比較し、当該比較結果に応じて前述のように内部記憶部１１を使用してデバイス部であるカメラモジュール４の動作を制御している。
【００２７】
以上のように第１の実施形態によれば、ＣＰＵ２が、外部記憶装置７に記憶媒体１２が格納されていることを検出したとき、映像／音声制御部６に対して、内部記憶部１１に格納するオブジェクトプログラムの保持動作を行うように指示する。映像／音声制御部６は、内部記憶部１１に格納されているオブジェクトプログラム２０の保持動作を行うとともに、当該オブジェクトプログラム２０に則していずれかの部分、例えばカメラモジュール４や周辺機器５等の動作制御を行う。従って、例えばカメラモジュール４によって撮像された画像を、外部記憶装置７に記憶すると映像／音声制御部６の負荷が大きくなる。このようなときに映像／音声制御部６は、その負荷に耐えうるだけのスピードで処理を行うことが可能となる。
【００２８】
ＣＰＵ２が、外部記憶装置７に記憶媒体１２が格納されていないと認識したとき、映像／音声制御部６に対して、内部記憶部１１に保持動作を行なわないように指示する。映像／音声制御部６は、内部記憶部１１にリフレッシュ動作を行なわせることなく、メモリ３に記憶されているオブジェクトプログラム２１を自らにロードし、当該オブジェクトプログラム２１に則して、いずれかの部分の動作制御を行う。
このようにすることによって、記憶媒体１２が使用可能な状態となっているときのみ、内部記憶部１１を用いて制御処理を行うことができ、記憶媒体１２が使用されない場合には内部記憶部１１の記憶保持動作が行なわれないため、映像／音声制御部６の消費電流を抑制することができる。
【００２９】
＜第２の実施形態＞
図３は、本発明の第２の実施形態による電子機器の構成を示すブロック図である。図１等に示したものと同一あるいは相当する部分に同じ符号を使用し、当該部分の重複説明を省略する。
図３に示した第２の実施形態による電子機器である携帯電話機１ｂは、概ね第１の実施形態で説明した携帯電話機１と同様に構成されている。チューナ８（通信部）は、電波受信強度即ち電磁波受信強度を検出する図示を省略した電磁波検出部を備えている。図３のＣＰＵ２は、チューナ８の電磁波検出部の出力信号を入力し、この出力信号の内容に応じて映像／音声制御部６の処理負荷の大きさを示す負荷推定値を設定し、これを映像／音声制御部６へ報知するように構成されている。映像／音声制御部６は、ＣＰＵ２から取得した負荷推定値、即ちチューナ８が受信した放送電波受信強度もしくは電磁波受信強度に応じて、内部記憶部１１に格納されるオブジェクトプログラムの保持、即ち内部記憶部１１のリフレッシュ動作の有無を定めるように構成されている。
【００３０】
次に動作について説明する。
図３のＣＰＵ２は、チューナ８が動作しているとき、アンテナ８ａを用いて当該チューナ８が受信している電磁波受信強度を示す信号を前述の電磁波検出部から入力する。ＣＰＵ２は、上記の電磁波受信強度に応じて、映像／音声制御部６の処理負荷の大きさを示す負荷推定値を設定する。映像／音声制御部６は、ＣＰＵ２から取得した負荷推定値と後述する閾値とを比較する。比較した結果、上記の負荷推定値が閾値よりも大きく、即ちチューナ８の受信状態が良好なとき、内部記憶部１１にオブジェクトプログラム２３を格納する。なお、オブジェクトプログラム２３は、前述のオブジェクトプログラム２０，２２と同様に、適宜、所定の記憶手段から内部記憶部１１へ移送され、また格納されるソフトウェアである。
【００３１】
映像／音声制御部６は、内部記憶部１１にオブジェクトプログラム２３を保持する動作を行なわせる。また、映像／音声制御部６の処理部１０（出力信号処理部）が、当該オブジェクトプログラム２３を用いた処理動作を行い、チューナ８の出力信号の再生動作を行う。具体的には、処理部１０は、オブジェクトプログラム２３に則してチューナ８の出力信号を処理し、表示部９ａおよび音声出力部９ｂを制御して映像再生ならびに音声再生を行なわせる。
【００３２】
チューナ８の電波受信強度即ち電界強度が低く受信状態が好ましくないとき、ＣＰＵ２は、このときに電磁波検出部から出力された信号に応じて負荷推定値を設定する。この負荷推定値を取得した映像／音声制御部６は、前述のように閾値と当該負荷推定値とを比較する。このときには閾値よりも負荷推定値が小さくなるので、映像／音声制御部６は、内部記憶部１１に記憶内容の保持動作を行なわせない。即ち、内部記憶部１１にはオブジェクトプログラム２３が保持されない。また、映像／音声制御部６は、外部のいずれかの記憶手段からオブジェクトプログラム２３をロードする制御を行なわない。
【００３３】
映像／音声制御部６は、チューナ８が、デジタルテレビの受信再生、即ち表示部９ａが映像を滑らかに表示することができ、また音声出力部９ｂが再生音声を途切れることなく出力することができる受信状態のときに上記の再生動作を行う。即ち、受信状態が安定しているとき、映像／音声制御部６は、内部記憶部１１に保持させているオブジェクトプログラム２３を用いて、映像ならびに音声の再生出力を行うように表示部９ａおよび音声出力部９ｂを制御する。
【００３４】
また、映像／音声制御部６は、チューナ８の電波受信強度が弱く、安定した映像表示ならびに音声出力を行うことが困難なときには、内部記憶部１１のリフレッシュ動作をキャンセルし、映像／音声制御部６の消費電流を抑制する。
また、映像／音声制御部６は、前述のように電波の受信状態が良好ではないとき、表示部９ａおよび音声出力部９ｂに対して、正常ではない画像および音声の再生動作を行なわないように制御する。
【００３５】
なお、ここではテレビ放送を受信するチューナ８を例示して説明したが、第２の実施形態による電子機器は、上記の放送電波の受信強度を用いた動作処理を行うものに限定されない。即ち、映像／音声制御部６が、他の放送電波やデータ等の通信電波などの電磁波の受信強度に応じて、揮発性メモリである内部記憶部１１のリフレッシュ動作の有無を制御し、当該内部記憶部１１、もしくは映像／音声制御部６の消費電流を抑えるようにしてもよい。
【００３６】
第２の実施形態による電子機器もしくは映像／音声制御部６は、チューナ８の受信状態が良好となる電磁波受信強度を閾値としている。映像／音声制御部６は、前述の閾値よりも処理負荷が小さいときには、例えばメモリ３からのオブジェクトプログラムを使用して各制御を行う。また、前述の閾値よりも処理負荷が大きいときには、内部記憶部１１にオブジェクトプログラム２３を格納し、このオブジェクトプログラム２３を用いて迅速にチューナ８の動作に関連する各処理を処理部１０が行うようにしている。
【００３７】
第２の実施形態による電子機器は、チューナ８の電磁波検出部が負荷推定部となって、ＣＰＵ２に処理負荷の大きさを推定させている。ＣＰＵ２は、電磁波検出部の出力信号から推定した処理負荷の大きさを示す負荷推定値を設定する。映像／音声制御部６は、ＣＰＵ２からの負荷推定値と予め設定されている閾値とを比較し、当該比較結果に応じて前述のように内部記憶部１１を使用して処理部１０ならびにチューナ８を稼働させている。
【００３８】
以上のように第２の実施形態によれば、映像／音声制御部６がチューナ８の電波受信強度に応じて、内部記憶部１１の保持動作の有無を制御するようにした。
このようにすることによって、電波受信状態が良好なときに内部記憶部１１に保持されているオブジェクトプログラム２３を用いてチューナ８の受信データを処理することができる。また、電波受信状態が良好でないときには内部記憶部１１、もしくは映像／音声制御部６の消費電流を抑制することができる。
【００３９】
なお、第１の実施形態ならびに第２の実施形態で説明した各電子機器は、ＣＰＵ２と映像／音声制御部６とを有する構成であるが、一つの制御デバイスで上記のＣＰＵ２と映像／音声制御部６とを構成し、前述の説明と同様に動作するようにしてもよい。
また、第１の実施形態〜第２の実施形態では、電子機器の携帯電話機を例示して説明したが、本発明は、携帯電話機に限定されず、例えばＰＤＡやナビゲーション装置などの電子機器であってもよい。即ち、本発明は、ＳＤＲＡＭ等の内蔵メモリを有するプロセッサを用いた様々な電子機器に適用することができる。
【図面の簡単な説明】
【００４０】
【図１】本発明の第１の実施形態による電子機器の構成を示すブロック図である。
【図２】図１の電子機器の動作を示す説明図である。
【図３】本発明の第２の実施形態による電子機器の構成を示すブロック図である。
【符号の説明】
【００４１】
１，１ａ，１ｂ…携帯電話機、２…ＣＰＵ、３…メモリ（第１の記憶部）、４…カメラモジュール、５…周辺機器、６…映像／音声制御部、７…外部記憶装置、８…チューナ、８ａ…アンテナ、９ａ…表示部、９ｂ…音声出力部、１０…処理部、１１…内部記憶部（第２の記憶部）、１２…記憶媒体、２０〜２３…オブジェクトプログラム。
【図１】
2010055433.tif 000003
【図２】
2010055433.tif 000004
【図３】
2010055433.tif 000005